(57)【要約】      （修正有）【課題】異なる無線通信システムの基地局の通信エリアに重複する箇所が存在する場合に、電波が干渉することなく音声を通知することが可能な無線通信システムを提供する。【解決手段】移動局と、基地局と、指令部と、回線制御装置とで構成される無線通信システムであって、他システムの電波を受信する基地局受信装置５０と、基地局受信装置で受信した電波をモニタする基地局モニタ６０と、を備える。基地局受信装置は、他のシステムの電波から識別情報及び音声情報を抽出する手段を有し、回線制御装置１２０は、識別情報と他システム情報を対応付けた識別情報メモリテーブルを参照して抽出手段で抽出した識別情報の判定を行う識別情報判定手段による判定結果に基づいて、他のシステムに関する情報及び他のシステムの基地局から送信された音声情報を基地局モニタに出力する情報出力手段と、を有する。【選択図】図１
2015192170.tif 000002
【特許請求の範囲】
【請求項１】
移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、
少なくとも２つ以上の前記無線通信システムが隣接して配置され、互いの基地局の通信エリアに重複する箇所が存在する場合に、
他の無線通信システムの基地局から送信された電波を受信する基地局受信装置と、
前記基地局受信装置で受信した他の無線通信システムの基地局から送信された電波をモニタする基地局モニタと、を備え、
前記基地局受信装置は、
他の無線通信システムの基地局から送信された電波から他の無線通信システムを示す識別情報及び音声情報を抽出する抽出手段を有し、
前記回線制御装置は、
前記識別情報と他の無線通信システムに関する情報を対応付けた識別情報メモリテーブルと、
前記識別情報メモリテーブルを参照して前記抽出手段で抽出した前記識別情報の判定を行う識別情報判定手段と、
前記識別情報判定手段による判定結果に基づいて、他の無線通信システムに関する情報及び他の無線通信システムの基地局から送信された音声情報を前記基地局モニタに出力する情報出力手段と、
を有することを特徴とする無線通信システム。
【請求項２】
請求項１に記載の無線通信システムにおいて、
前記回線制御装置は、前記識別情報判定手段による判定の結果、他の無線通信システムの基地局から自己の無線通信システムと同一の送信周波数で送信が行われている場合には、前記指令台から前記回線制御装置に対して前記基地局への電波送出停止指示を行い、
前記回線制御装置は、前記指令台から前記基地局への前記電波送出停止指示を受信すると、前記基地局に対して前記送信周波数による前記電波送出停止を指示することを特徴とする無線通信システム。
【請求項３】
移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、
少なくとも２つ以上の前記無線通信システムが隣接して配置され、互いの基地局の通信エリアに重複する箇所が存在する場合に、
他の無線通信システムの基地局から送信された電波を受信する基地局受信装置を備え、
前記基地局受信装置は、
他の無線通信システムの基地局から送信された電波から他の無線通信システムを示す識別情報を抽出する抽出手段を有し、
前記回線制御装置は、
前記識別情報と他の無線通信システムに関する情報とを対応付けた識別情報メモリテーブルと、
前記識別情報メモリテーブルを参照して前記抽出手段で抽出した前記識別情報の判定を行う識別情報判定手段と、
前記指令部から送信された前記送信データを蓄積する蓄積手段と、
前記基地局への送信データの出力制御を行う回線制御手段と、
を有し、
前記回線制御装置は、前記識別情報判定手段による判定の結果、他の無線通信システムの基地局から自己の無線通信システムと同一の送信周波数で送信が行われている場合には、前記蓄積手段に前記送信データを蓄積させ、他の無線通信システムの基地局から自己の無線通信システムと同一の送信周波数での送信が終了した場合に、前記回線制御手段の前記蓄積手段から前記送信データを読み出して前記基地局に送信させるよう指示することを特徴とする無線通信システム。
【請求項４】
移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、
少なくとも２つ以上の前記無線通信システムが隣接して配置され、互いの基地局の通信エリアに重複する箇所が存在する場合に、
他の無線通信システムの基地局から送信された電波を受信する基地局受信装置を備え、
前記基地局受信装置は、
他の無線通信システムの基地局から送信された電波から他の無線通信システムを示す識別情報を抽出する抽出手段を有し、
前記回線制御装置は、
前記識別情報と他の無線通信システムに関する情報とを対応付けた識別情報メモリテーブルと、
前記識別情報メモリテーブルを参照して前記抽出手段で抽出した前記識別情報の判定を行う識別情報判定手段と、
前記基地局への送信データの出力制御を行う回線制御手段と、
を有し、
前記回線制御装置は、前記識別情報判定手段による判定の結果、他の無線通信システムの基地局から自己の無線通信システムと同一の送信周波数で送信が行われている場合には、前記回線制御手段により、前記基地局に対して、前記送信データを前記同一の送信周波数とは異なる送信周波数で送出するよう指示することを特徴とする無線通信システム。
【請求項５】
移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、
少なくとも２つ以上の前記無線通信システムが隣接して配置され、互いの基地局の通信エリアに重複する箇所が存在する場合に、
他の無線通信システムの基地局から送信された電波を受信する基地局受信装置を備え、
前記基地局受信装置は、
他の無線通信システムの基地局から送信された電波から他の無線通信システムを示す識別情報を抽出する抽出手段を有し、
前記回線制御装置は、
前記識別情報と他の無線通信システムに関する情報とを対応付けた識別情報メモリテーブルと、
前記識別情報メモリテーブルを参照して前記抽出手段で抽出した前記識別情報の判定を行う識別情報判定手段と、
前記基地局への送信データの出力制御を行う回線制御手段と、
を有し、
前記回線制御装置は、前記指令部からの指示により、前記回線制御手段によって前記基地局に対して第１の送信周波数で送信データを送信中に、前記識別情報判定手段による判定の結果、他の無線通信システムの基地局から前記第１の送信周波数で送信が開始されたことが確認できた場合に、前記回線制御手段により、前記基地局に対して、前記送信データを前記第１の送信周波数とは異なる第２の送信周波数で送出するよう指示することを特徴とする無線通信システム。
【発明の詳細な説明】
【技術分野】
【０００１】
本発明は、移動局と、移動局と無線接続される複数の基地局と、複数の基地局のうち１つの基地局を介して移動局との間で通話を行う指令台とを備える無線通信システムに関し、特に、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信されても、電波が干渉することなく明瞭に音声を通知することが可能な無線通信システムに関する。
【背景技術】
【０００２】
図９に本技術分野に関する無線通信システムの概略構成例を示す。図９の無線通信システムは、例えば消防救急用無線通信システムであって、音声データを伝送するチャネル１つに対して１つのキャリアを割り当てるＳＣＰＣ方式（Single  Channel  Per  Carrier）が用いられている。ＳＣＰＣ方式のデジタル無線システムは、デジタル通信方式標準規格ＡＲＩＢ  ＳＴＤ−Ｔ６１で規定されている。
また、図９の無線通信システムでは、一点鎖線を境界線として消防本部（Ａ）が管轄する地域（向かって左側）と消防本部（Ｂ）が管轄する地域（向かって右側）に分かれており、それぞれ異なる無線通信システムが構築されている。
【０００３】
消防本部（Ａ）が管轄する地域の無線通信システムは、指令台（統制卓、通信卓ともいう。）（１）１０と、回線制御装置（１）２０と、基地局（１）３０と、複数の移動局（１）である車載機（車載無線機）または携帯機（携帯無線機）４０−１，４０−２とを含んで構成されている。指令台（１）１０と回線制御装置（１）２０は、有線の伝送路５により接続され、回線制御装置（１）２０と基地局（１）３０は、有線あるいはマイクロ回線等の伝送路４により接続されている。基地局（１）３０と移動局（１）４０は無線により接続されている。なお、図９の例では、基地局（１）３０は１つであるが、複数あってもよい。また、移動局（１）４０は２つであるが、１つあるいは３つ以上あってもよい。
基地局（１）３０は、通信エリア（あるいは通信ゾーンとも言う。）１を有し、同一の送信周波数（基地局（１）３０から移動局（１）４０への下り信号周波数：ＦＨ１）を用いて移動局（１）４０に対して送信を行い、また、同一の受信周波数（移動局（１）４０から基地局（１）３０への上り信号周波数：ＦＬ１）を用いて移動局（１）４０から受信を行うよう構成されている。
【０００４】
また、消防本部（Ｂ）が管轄する地域の無線通信システムは、指令台（２）２１０と、回線制御装置（２）２２０と、基地局（２）２３０と、複数の移動局（２）である車載機（車載無線機）または携帯機（携帯無線機）２４０−１，２４０−２とを含んで構成されている。指令台（２）２１０と回線制御装置（２）２２０は、有線の伝送路７により接続され、回線制御装置（２）２２０と基地局（２）２３０は、有線あるいはマイクロ回線等の伝送路６により接続されている。基地局（２）２３０と移動局（２）２４０は無線により接続されている。なお、図９の例では、基地局（２）２３０は１つであるが、複数あってもよい。また、移動局（２）２４０は２つであるが、１つあるいは３つ以上あってもよい。
基地局（２）２３０は、通信エリア２を有し、同一の送信周波数（基地局（２）２３０から移動局（２）２４０への下り信号周波数：ＦＨ１）を用いて移動局（２）２４０に対して送信を行い、また、同一の受信周波数（移動局（２）２４０から基地局（２）２３０への上り信号周波数：ＦＬ１）を用いて移動局（２）２４０から受信を行うよう構成されている。
【０００５】
特許文献１には、移動局が基地局のエリアを跨いで移動する際に、適切な基地局を自動的に選択することができる無線通信システムが開示されている。また、特許文献１には、上記した従来の無線通信システムと同様に、移動局と、移動局と無線接続される複数の基地局と、複数の基地局のうち１つの基地局を介して移動局との間で通話を行う指令台とを備える無線通信システムが開示されている。
【先行技術文献】
【特許文献】
【０００６】
【特許文献１】特開２０１３−０３０９８６号公報
【発明の概要】
【発明が解決しようとする課題】
【０００７】
しかしながら、図９に示すように、消防本部（Ａ）が管轄する地域と消防本部（Ｂ）が管轄する地域は、地理的には一点鎖線で示す境界線を境にしてはっきりと分かれているが、実際の無線通信システムは、互いに隣接する基地局（１）３０の通信エリア１と基地局（２）２３０の通信エリア２に重複する箇所が存在している。
そこで、例えば、図９に示すように、上記した通信エリアの重複する箇所に移動局（１）４０−１が移動した時に、基地局（１）３０及び基地局（２）２３０から同時期に同一の送信周波数ＦＨ１で電波が送信されたとする。
このような場合に、基地局（１）３０及び基地局（２）２３０から同時期に同一周波数で送信された電波は互いに干渉してしまい、最悪の場合、例えば、基地局（１）３０から送信された電波が移動局（１）４０−１に届かない可能性がある。
【０００８】
本発明は、このような従来の事情に鑑みなされたものであり、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信されても、電波が干渉することなく明瞭に音声を通知することが可能な無線通信システムを提供することを目的とする。
【課題を解決するための手段】
【０００９】
上記目的を達成するための本発明に係る無線通信システムは、移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、少なくとも２つ以上の前記無線通信システムが隣接して配置され、互いの基地局の通信エリアに重複する箇所が存在する場合に、他の無線通信システムの基地局から送信された電波を受信する基地局受信装置と、前記基地局受信装置で受信した他の無線通信システムの基地局から送信された電波をモニタする基地局モニタと、を備え、前記基地局受信装置は、他の無線通信システムの基地局から送信された電波から他の無線通信システムを示す識別情報及び音声情報を抽出する抽出手段を有し、前記回線制御装置は、前記識別情報と他の無線通信システムに関する情報を対応付けた識別情報メモリテーブルと、前記識別情報メモリテーブルを参照して前記抽出手段で抽出した前記識別情報の判定を行う識別情報判定手段と、前記識別情報判定手段による判定結果に基づいて、他の無線通信システムに関する情報及び他の無線通信システムの基地局から送信された音声情報を前記基地局モニタに出力する情報出力手段と、を有することを特徴とする。
【００１０】
また、上記目的を達成するための本発明に係る無線通信システムは、上記した無線通信システムにおいて、前記回線制御装置は、前記識別情報判定手段による判定の結果、他の無線通信システムの基地局から自己の無線通信システムと同一の送信周波数で送信が行われている場合には、前記指令台から前記回線制御装置に対して前記基地局への電波送出停止指示を行い、前記回線制御装置は、前記指令台から前記基地局への前記電波送出停止指示を受信すると、前記基地局に対して前記送信周波数による前記電波送出停止を指示することを特徴とする。
【００１１】
また、上記目的を達成するための本発明に係る無線通信システムは、移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、少なくとも２つ以上の前記無線通信システムが隣接して配置され、互いの基地局の通信エリアに重複する箇所が存在する場合に、他の無線通信システムの基地局から送信された電波を受信する基地局受信装置を備え、前記基地局受信装置は、他の無線通信システムの基地局から送信された電波から他の無線通信システムを示す識別情報を抽出する抽出手段を有し、前記回線制御装置は、前記識別情報と他の無線通信システムに関する情報とを対応付けた識別情報メモリテーブルと、前記識別情報メモリテーブルを参照して前記抽出手段で抽出した前記識別情報の判定を行う識別情報判定手段と、前記指令部から送信された前記送信データを蓄積する蓄積手段と、前記基地局への送信データの出力制御を行う回線制御手段と、を有し、前記回線制御装置は、前記識別情報判定手段による判定の結果、他の無線通信システムの基地局から自己の無線通信システムと同一の送信周波数で送信が行われている場合には、前記蓄積手段に前記送信データを蓄積させ、他の無線通信システムの基地局から自己の無線通信システムと同一の送信周波数での送信が終了した場合に、前記回線制御手段の前記蓄積手段から前記送信データを読み出して前記基地局に送信させるよう指示することを特徴とする。
【００１２】
また、上記目的を達成するための本発明に係る無線通信システムは、移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、少なくとも２つ以上の前記無線通信システムが隣接して配置され、互いの基地局の通信エリアに重複する箇所が存在する場合に、他の無線通信システムの基地局から送信された電波を受信する基地局受信装置を備え、前記基地局受信装置は、他の無線通信システムの基地局から送信された電波から他の無線通信システムを示す識別情報を抽出する抽出手段を有し、前記回線制御装置は、前記識別情報と他の無線通信システムに関する情報とを対応付けた識別情報メモリテーブルと、前記識別情報メモリテーブルを参照して前記抽出手段で抽出した前記識別情報の判定を行う識別情報判定手段と、前記基地局への送信データの出力制御を行う回線制御手段と、を有し、前記回線制御装置は、前記識別情報判定手段による判定の結果、他の無線通信システムの基地局から自己の無線通信システムと同一の送信周波数で送信が行われている場合には、前記回線制御手段により、前記基地局に対して、前記送信データを前記同一の送信周波数とは異なる送信周波数で送出するよう指示することを特徴とする。
【００１３】
また、上記目的を達成するための本発明に係る無線通信システムは、移動局と、前記移動局に無線でデータ送信する基地局と、前記移動局に前記基地局を介してデータ送信する指令部と、前記指令部から前記基地局へ送信する送信データの送信制御を行う回線制御装置とで構成される無線通信システムであって、少なくとも２つ以上の前記無線通信システムが隣接して配置され、互いの基地局の通信エリアに重複する箇所が存在する場合に、他の無線通信システムの基地局から送信された電波を受信する基地局受信装置を備え、前記基地局受信装置は、他の無線通信システムの基地局から送信された電波から他の無線通信システムを示す識別情報を抽出する抽出手段を有し、前記回線制御装置は、前記識別情報と他の無線通信システムに関する情報とを対応付けた識別情報メモリテーブルと、前記識別情報メモリテーブルを参照して前記抽出手段で抽出した前記識別情報の判定を行う識別情報判定手段と、前記基地局への送信データの出力制御を行う回線制御手段と、を有し、前記回線制御装置は、前記指令部からの指示により、前記回線制御手段によって前記基地局に対して第１の送信周波数で送信データを送信中に、前記識別情報判定手段による判定の結果、他の無線通信システムの基地局から前記第１の送信周波数で送信が開始されたことが確認できた場合に、前記回線制御手段により、前記基地局に対して、前記送信データを前記第１の送信周波数とは異なる第２の送信周波数で送出するよう指示することを特徴とする。
【発明の効果】
【００１４】
本発明によれば、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信されても、電波が干渉することなく明瞭に音声を通知することが可能な無線通信システムを提供することができる。
【図面の簡単な説明】
【００１５】
【図１】本発明の実施形態１に係る無線通信システムの構成の一例を示すブロック図である。
【図２】本発明の実施形態１に係る無線通信システムの動作を示すシーケンス図である。
【図３】本発明の実施形態２に係る無線通信システムの構成の一例を示すブロック図である。
【図４】本発明の実施形態２に係る無線通信システムの動作を示すシーケンス図である。
【図５】本発明の実施形態３に係る無線通信システムの構成の一例を示すブロック図である。
【図６】本発明の実施形態３に係る無線通信システムの動作を示すシーケンス図である。
【図７】本発明の実施形態４に係る無線通信システムの構成の一例を示すブロック図である。
【図８】本発明の実施形態４に係る無線通信システムの動作を示すシーケンス図である。
【図９】従来の無線通信システムの概略構成例を示すブロック図である。
【発明を実施するための形態】
【００１６】
＜実施形態１＞
以下、本発明の実施形態１に係る無線通信システムについて、図１を参照しながら説明する。図１は、本発明の実施形態１に係る無線通信システムの構成の一例を示すブロック図である。
【００１７】
［無線通信システムの構成］
本発明の実施形態１に係る無線通信システムは、例えば消防救急用無線通信システムであって、音声データを伝送するチャネル１つに対して１つのキャリアを割り当てるＳＣＰＣ方式（Single  Channel  Per  Carrier）が用いられている。ＳＣＰＣ方式のデジタル無線システムは、デジタル通信方式標準規格ＡＲＩＢ  ＳＴＤ−Ｔ６１で規定されている。
また、図１の無線通信システムでは、一点鎖線を境界線として消防本部（Ａ）が管轄する地域（向かって左側）と消防本部（Ｂ）が管轄する地域（向かって右側）に分かれており、それぞれ異なる無線通信システムが構築されている。
なお、消防本部（Ｂ）が管轄する地域の無線通信システムは、従来（図９参照）と同様であるため、説明は省略する。また、図１において、図９と同様の構成については、同じ部番を付している。
【００１８】
消防本部（Ａ）が管轄する地域の無線通信システムは、指令台（統制卓、通信卓ともいう。）（１）１０と、回線制御装置（１）１２０と、基地局（１）３０と、他消防本部の基地局からの電波を受信する基地局受信装置（１）５０と、基地局受信装置（１）５０が受信した他消防本部の基地局からの電波をモニタする基地局モニタ（１）６０と、複数の移動局（１）である車載機（車載無線機）または携帯機（携帯無線機）４０−１，４０−２とを含んで構成されている。また、基地局モニタ（１）６０は、指令台（１）１０を操作するオペレータの近くに配置するものとする。なお、移動局（１）を代表する場合は移動局（１）４０と称する。
指令台（１）１０と回線制御装置（１）１２０は、有線の伝送路５により接続され、回線制御装置（１）１２０と、基地局（１）３０、基地局受信装置（１）５０及び基地局モニタ（１）６０は、有線あるいはマイクロ回線等の伝送路４により接続されている。基地局（１）３０と移動局（１）４０は無線により接続されている。
基地局（１）３０は、通信エリア（あるいは通信ゾーンとも言う。）１を有し、同一の送信周波数（基地局（１）３０から移動局（１）４０への下り信号周波数：ＦＨ１）を用いて移動局（１）４０に対して送信を行い、また、同一の受信周波数（移動局（１）４０から基地局（１）３０への上り信号周波数：ＦＬ１）を用いて移動局（１）４０から受信を行うよう構成されている。
なお、図１の例では、基地局（１）３０は１つであるが、複数あってもよい。また、移動局（１）４０は２つであるが、１つあるいは３つ以上あってもよい。
【００１９】
また、回線制御装置（１）１２０は、基地局受信装置（１）５０から送信された他消防本部を識別するための識別子の判定を行う識別子判定部１２２と、各消防本部名、送信周波数、受信周波数及び識別子の情報が対応づけられた識別子情報を格納する識別子メモリテーブル１２３と、指令台（１）１０からの送信情報並びに移動局（１）４０からの受信情報の送受信制御を行う回線交換部１２４と、装置全体の制御を行う制御部１２１とを備えている。
なお、基地局受信装置（１）５０が、上記した回線制御装置（１）１２０の識別子判定部１２２及び識別子メモリテーブル１２３の構成を備えるようにしてもよい。
【００２０】
また、図１に示すように、消防本部（Ａ）が管轄する地域と消防本部（Ｂ）が管轄する地域は、地理的には一点鎖線で示す境界線を境にしてはっきりと分かれているが、無線通信システムとしては、互いに隣接する基地局（１）３０の通信エリア１と基地局（２）２３０の通信エリア２に重複する箇所が存在している。
【００２１】
［無線通信システムの動作］
次に、本発明の実施形態１に係る無線通信システムの動作について、図２を参照して説明する。図２は、本発明の実施形態１に係る無線通信システムの動作を示すシーケンス図である。
基地局受信装置（１）５０は、基地局（２）２３０から送信周波数ＦＨ１での電波の受信を開始すると（ステップＳ１０１）、受信した電波に含まれる識別子並びに音声等のデータを抽出して回線制御装置（１）１２０に送信する（ステップＳ１０２）。
回線制御装置（１）１２０は、基地局受信装置（１）５０から識別子並びに音声等のデータを受信すると（ステップＳ１０３）、回線制御装置（１）１２０の制御部１２１が識別子メモリテーブル１２３の情報を参照して識別子判定部１２２に識別子の判定を行わせ（ステップＳ１０４）、識別子判定結果（例えば、消防本部名、消防本部コード、または送信周波数の情報等）及び音声等のデータを基地局モニタ（１）６０に送信する（ステップＳ１０５）。
基地局モニタ（１）６０は、回線制御装置（１）１２０から識別子判定結果及び音声等のデータを受信すると（ステップＳ１０６）、受信した識別子判定結果を文字コード等に変換して図示しない表示部に表示すると共に、受信した音声等のデータを図示しないスピーカから出力する（ステップＳ１０７）。
【００２２】
指令台（１）１０を操作するオペレータは、基地局モニタ（１）６０により、識別子判定結果及び音声等のデータを確認し、基地局（２）２３０が自システムの基地局（１）３０と同様の送信周波数ＦＨ１で電波を送出していることがわかると（ステップＳ１０８）、指令台（１）１０から、回線制御装置（２）１２０に対して、基地局（１）３０への電波送出停止指示を行う（ステップＳ１０９）。
回線制御装置（１）１２０は、指令台（１）１０から、送信周波数ＦＨ１による電波送出停止指示を受信すると（ステップＳ１１０）、制御部１２１が回線交換部１２４を制御して、基地局（１）３０に対し、送信周波数ＦＨ１による電波送出停止を指示する（ステップＳ１１１）。
基地局（１）３０は、回線制御装置（１）１２０から送信周波数ＦＨ１による電波送出停止指示を受信すると（ステップＳ１１２）、送信周波数ＦＨ１による電波送出を停止する（ステップＳ１１３）。
【００２３】
以上説明したように、本発明の実施形態１に係る無線通信システムによれば、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信されても、一方の基地局からの送信周波数による電波送出を停止することができるため、電波が干渉することなく明瞭に音声を通知することができる。
【００２４】
＜実施形態２＞
以下、本発明の実施形態２に係る無線通信システムについて、図３を参照しながら説明する。図３は、本発明の実施形態２に係る無線通信システムの構成の一例を示すブロック図である。なお、図３において、図１と同様の構成については、同じ部番を付している。
【００２５】
［無線通信システムの構成］
本発明の実施形態２に係る無線通信システムの構成は、本発明の実施形態１に係る無線通信システムに対し、消防本部（Ａ）が管轄する地域の無線通信システムの構成が異なる。そこで、消防本部（Ａ）が管轄する地域の無線通信システムの構成についてのみ説明する。
【００２６】
消防本部（Ａ）が管轄する地域の無線通信システムは、指令台（１）１０と、回線制御装置（１）１３０と、基地局（１）３０と、他消防本部の基地局からの電波を受信する基地局受信装置（１）５０と、複数の移動局（１）である車載機（車載無線機）または携帯機（携帯無線機）４０−１，４０−２とを含んで構成されている。指令台（１）１０と回線制御装置（１）１３０は、有線の伝送路５により接続され、回線制御装置（１）１３０と、基地局（１）３０及び基地局受信装置（１）５０は、有線あるいはマイクロ回線等の伝送路４により接続されている。基地局（１）３０と移動局（１）４０は無線により接続されている。
基地局（１）３０は、通信エリア１を有し、同一の送信周波数（基地局（１）３０から移動局（１）４０への下り信号周波数：ＦＨ１）を用いて移動局（１）４０に対して送信を行い、また、同一の受信周波数（移動局（１）４０から基地局（１）３０への上り信号周波数：ＦＬ１）を用いて移動局（１）４０から受信を行うよう構成されている。
なお、図３の例では、基地局（１）３０は１つであるが、複数あってもよい。また、移動局（１）４０は２つであるが、１つあるいは３つ以上あってもよい。
【００２７】
また、回線制御装置（１）１３０は、基地局受信装置（１）５０から送信された他消防本部を識別するための識別子の判定を行う識別子判定部１３２と、各消防本部名、送信周波数、受信周波数及び識別子の情報が対応づけられた識別子情報を格納する識別子メモリテーブル１３３と、指令台（１）１０から送信された送信情報の記録及び再生を行う記録・再生部１３４と、指令台（１）１０からの送信情報並びに移動局（１）４０からの受信情報の送受信制御を行う回線交換部１３５と、装置全体の制御を行う制御部１３１とを備えている。
【００２８】
［無線通信システムの動作］
次に、本発明の実施形態２に係る無線通信システムの動作について、図４を参照して説明する。図４は、本発明の実施形態２に係る無線通信システムの動作を示すシーケンス図である。
基地局受信装置（１）５０は、基地局（２）２３０から送信周波数ＦＨ１の電波受信を開始すると（ステップＳ２０１）、受信した電波に含まれる識別子のデータを抽出して回線制御装置（１）１３０に送信する（ステップＳ２０２）。
回線制御装置（１）１３０は、基地局受信装置（１）５０から識別子のデータを受信すると（ステップＳ２０３）、回線制御装置（１）１３０の制御部１３１が識別子メモリテーブル１３３の情報を参照して識別子判定部１３２に識別子の判定を行わせ、基地局（２）２３０からの送信周波数ＦＨ１の電波であることを確認する（ステップＳ２０４）。
一方、このタイミングで、指令台（１）１０から回線制御装置（１）１３０に対し、基地局（１）３０への送信データ（ｄ）の送信要求が為され（ステップＳ２０５）、回線制御装置（１）１３０が送信データ（ｄ）の送信要求を受信したとする（ステップＳ２０６）。
回線制御装置（１）１３０では、制御部１３１が、記録・再生部１３４に、指令台（１）１０から送信された基地局（１）３０に対する送信データ（ｄ）を一時的に記録させる（ステップＳ２０７）。
【００２９】
次に、基地局受信装置（１）５０は、基地局（２）２３０から送信周波数ＦＨ１の電波受信を終了すると（ステップＳ２０８）、受信終了した電波に含まれる識別子のデータを抽出して回線制御装置（１）１３０に送信する（ステップＳ２０９）。
回線制御装置（１）１３０は、基地局受信装置（１）５０から識別子のデータを受信すると（ステップＳ２１０）、回線制御装置（１）１３０の制御部１３１が識別子メモリテーブル１３３の情報を参照して識別子判定部１３２に識別子の判定を行わせ、基地局（２）２３０から送信周波数ＦＨ１の電波受信が終了したことを確認する（ステップＳ２１１）。
回線制御装置（１）１３０では、制御部１３１が記録・再生部１３４を制御して、記録しておいた基地局（１）３０への送信データ（ｄ）を読み出し、基地局（１）３０に送信すると共に、送信周波数ＦＨ１で電波送出するよう指示する（ステップＳ２１２）。
基地局（１）３０は、回線制御装置（１）１３０から送信された送信データ（ｄ）及び送信周波数ＦＨ１での送出指示を受信すると（ステップＳ２１３）、送信データ（ｄ）を送信周波数ＦＨ１で電波送出する（ステップＳ２１４）。
【００３０】
以上説明したように、本発明の実施形態２に係る無線通信システムによれば、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信された場合でも、一方の回線制御装置の記録・再生部にて一次的に移動局への送信データを蓄積しておくことができるため、他方の基地局からの同一送信周波数の送出終了後に、回線制御装置の記録・再生部に蓄積しておいた送信データを一方の基地局から移動局へ送出することができる。これにより、電波が干渉することなく明瞭に音声を通知することができる。
【００３１】
＜実施形態３＞
以下、本発明の実施形態３に係る無線通信システムについて、図５を参照しながら説明する。図５は、本発明の実施形態３に係る無線通信システムの構成の一例を示すブロック図である。なお、図５において、図１と同様の構成については、同じ部番を付している。
【００３２】
［無線通信システムの構成］
本発明の実施形態３に係る無線通信システムの構成は、本発明の実施形態１に係る無線通信システムに対し、消防本部（Ａ）が管轄する地域の無線通信システムの構成が異なる。そこで、消防本部（Ａ）が管轄する地域の無線通信システムの構成についてのみ説明する。
【００３３】
消防本部（Ａ）が管轄する地域の無線通信システムは、指令台（１）１０と、回線制御装置（１）１４０と、基地局（１）３２と、他消防本部の基地局からの電波を受信する基地局受信装置（１）５０と、複数の移動局（１）である車載機（車載無線機）または携帯機（携帯無線機）７０−１，７０−２とを含んで構成されている。指令台（１）１０と回線制御装置（１）１４０は、有線の伝送路５により接続され、回線制御装置（１）１４０と、基地局（１）３２及び基地局受信装置（１）５０は、有線あるいはマイクロ回線等の伝送路４により接続されている。基地局（１）３２と移動局（１）７０は無線により接続されている。
基地局（１）３２は、通信エリア１を有し、送信周波数ＦＨ１（下り：基地局から移動局へ）の送信用無線機と、受信周波数ＦＬ１（上り：移動局から基地局へ）の受信用無線機とから構成される送受信用無線機１台と、更に、送信周波数ＦＨ２と受信周波数ＦＬ２の送受信用無線機を有する構成とする。また、基地局（１）３２は、回線制御装置（１）１４０からの指示に基づいて、送信周波数を切り換えて移動局（１）７０と通信することができる。なお、ＦＨ１とＦＨ２は異なる周波数であり、ＦＬ１とＦＬ２は異なる周波数であり、ＦＨ１とＦＬ１、あるいはＦＨ２とＦＬ２で、それぞれ、上りと下りの信号を１ペアとするペア波を構成する。
なお、図５の例では、基地局（１）３２は１つであるが、複数あってもよい。また、移動局（１）７０は２つであるが、１つあるいは３つ以上あってもよい。
【００３４】
また、回線制御装置（１）１４０は、基地局受信装置（１）５０から送信された他消防本部を識別するための識別子の判定を行う識別子判定部１４２と、各消防本部名、送信周波数、受信周波数及び識別子の情報が対応づけられた識別子情報を格納する識別子メモリテーブル１４３と、指令台（１）１０からの送信情報並びに移動局（１）４０からの受信情報の送受信制御を行う回線交換部１４４と、装置全体の制御を行う制御部１４１とを備えている。
また、移動局（１）７０は、基地局（１）３２から受信した電波に含まれる識別子を基に自システムの電波をサーチして基地局（１）３２からの電波を受信する図示しない受信制御部を備えている。
【００３５】
［無線通信システムの動作］
次に、本発明の実施形態３に係る無線通信システムの動作について、図６を参照して説明する。図６は、本発明の実施形態３に係る無線通信システムの動作を示すシーケンス図である。
基地局受信装置（１）５０は、基地局（２）２３０から送信周波数ＦＨ１の電波受信を開始すると（ステップＳ３０１）、受信した電波に含まれる識別子のデータを抽出して回線制御装置（１）１４０に送信する（ステップＳ３０２）。
回線制御装置（１）１４０は、基地局受信装置（１）５０から識別子のデータを受信すると（ステップＳ３０３）、  回線制御装置（１）１４０の制御部１４１が識別子メモリテーブル１４３の情報を参照して識別子判定部１４２に識別子の判定を行わせ、基地局（２）２３０からの送信周波数ＦＨ１の電波であることを確認する（ステップＳ３０４）。
一方、このタイミングで、指令台（１）１０から回線制御装置（１）１４０に対し、基地局（１）３２への送信データ（ｄ）の送信要求が為され（ステップＳ３０５）、回線制御装置（１）１４０が送信データ（ｄ）の送信要求を受信したとする（ステップＳ３０６）。
回線制御装置（１）１４０では、制御部１４１が回線交換部１４４を制御して、基地局（１）３２に対し、送信データ（ｄ）を送信周波数ＦＨ２で送信するよう指示する（ステップＳ３０７）。
【００３６】
基地局（１）３２は、回線制御装置（１）１４０からの指示を受信すると（ステップＳ３０８）、送信データ（ｄ）を送信周波数ＦＨ２で電波送出する（ステップＳ３０９）。
移動局（１）７０は、基地局（１）３２から送信された送信データ（ｄ）に含まれる識別子を基に自システムの電波をサーチして、送信データ（ｄ）を受信する（ステップＳ３１０）。
【００３７】
以上説明したように、本発明の実施形態３に係る無線通信システムによれば、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信されても、予め他方の基地局が電波送出を行っている場合には、一方の基地局から移動局に対しては異なる送信周波数に変更して送出することにより、電波が干渉することなく明瞭に音声を通知することができる。
【００３８】
＜実施形態４＞
以下、本発明の実施形態４に係る無線通信システムについて、図７を参照しながら説明する。図７は、本発明の実施形態４に係る無線通信システムの構成の一例を示すブロック図である。なお、図７において、図１と同様の構成については、同じ部番を付している。
【００３９】
［無線通信システムの構成］
本発明の実施形態４に係る無線通信システムの構成は、本発明の実施形態１に係る無線通信システムに対し、消防本部（Ａ）が管轄する地域の無線通信システムの構成が異なる。そこで、消防本部（Ａ）が管轄する地域の無線通信システムの構成についてのみ説明する。
【００４０】
消防本部（Ａ）が管轄する地域の無線通信システムは、指令台（１）１０と、回線制御装置（１）１２０と、基地局（１）３２と、他消防本部の基地局からの電波を受信する基地局受信装置（１）５０と、基地局受信装置（１）５０が受信した他消防本部の基地局からの電波をモニタする基地局モニタ（１）６０と、複数の移動局（１）である車載機（車載無線機）または携帯機（携帯無線機）４０−１，４０−２とを含んで構成されている。なお、移動局（１）を代表する場合は移動局（１）４０と称する。
指令台（１）１０と回線制御装置（１）１２０は、有線の伝送路５により接続され、回線制御装置（１）１２０と、基地局（１）３２、基地局受信装置（１）５０及び基地局モニタ（１）６０は、有線あるいはマイクロ回線等の伝送路４により接続されている。基地局（１）３２と移動局（１）４０は無線により接続されている。
基地局（１）３２は、通信エリア（あるいは通信ゾーンとも言う。）１を有し、送信周波数ＦＨ１（下り：基地局から移動局へ）の送信用無線機と、受信周波数ＦＬ１（上り：移動局から基地局へ）の受信用無線機とから構成される送受信用無線機１台と、更に、送信周波数ＦＨ２と受信周波数ＦＬ２の送受信用無線機を有する構成とする。また、基地局（１）３２は、回線制御装置（１）１２０からの指示に基づいて、送信周波数を切り換えて移動局（１）４０と通信することができる。なお、ＦＨ１とＦＨ２は異なる周波数であり、ＦＬ１とＦＬ２は異なる周波数であり、ＦＨ１とＦＬ１、あるいはＦＨ２とＦＬ２で、それぞれ、上りと下りの信号を１ペアとするペア波を構成する。
なお、図７の例では、基地局（１）３２は１つであるが、複数あってもよい。また、移動局（１）４０は２つであるが、１つあるいは３つ以上あってもよい。
【００４１】
［無線通信システムの動作］
次に、本発明の実施形態４に係る無線通信システムの動作について、図８を参照して説明する。図８は、本発明の実施形態４に係る無線通信システムの動作を示すシーケンス図である。
オペレータは、指令台（１）１０から基地局（１）３２への送信データ（ｄ）の送信要求を、回線制御装置（１）１２０に対して行う（ステップＳ４０１）。
回線制御装置（１）１２０は、指令台（１）１０から送信データ（ｄ）の送信要求を受信すると（ステップＳ４０２）、  回線制御装置（１）１２０の制御部１２１が回線交換部１２４を制御して、基地局（１）３２に対し、送信データ（ｄ）を送信周波数ＦＨ１で送信するよう指示する（ステップＳ４０３）。
基地局（１）３２は、回線制御装置（１）１２０からの指示を受信すると（ステップＳ４０４）、送信データ（ｄ）を送信周波数ＦＨ１で電波送出する（ステップＳ４０５）。
【００４２】
その後、基地局受信装置（１）５０が、基地局（２）２３０から送信周波数ＦＨ１の電波受信を開始すると（ステップＳ４０６）、受信した電波に含まれる識別子並びに音声等のデータを抽出して回線制御装置（１）１２０に送信する（ステップＳ４０７）。
回線制御装置（１）１２０は、基地局受信装置（１）５０から識別子並びに音声等のデータを受信すると（ステップＳ４０８）、回線制御装置（１）１２０の制御部１２１が識別子メモリテーブル１２３の情報を参照して識別子判定部１２２に識別子の判定を行わせ（ステップＳ４０９）、識別子判定結果（例えば、消防本部名、消防本部コード、または送信周波数の情報等）及び音声等のデータを基地局モニタ（１）６０に送信する（ステップＳ４１０）。
基地局モニタ（１）６０は、回線制御装置（１）１２０から識別子判定結果及び音声等のデータを受信すると（ステップＳ４１１）、受信した識別子判定結果を文字コード等に変換して図示しない表示部に表示すると共に、受信した音声等のデータを図示しないスピーカから出力する（ステップＳ４１２）。
【００４３】
指令台（１）１０を操作するオペレータは、基地局モニタ（１）６０により、識別子判定結果及び音声等のデータを確認し、基地局（２）２３０が自システムの基地局（１）３０と同様の送信周波数ＦＨ１で電波を送出していることがわかると（ステップＳ４１３）、指令台（１）１０から、回線制御装置（１）１２０に対して、基地局（１）３２への送信周波数の変更（ＦＨ１⇒ＦＨ２）指示を行う（ステップＳ４１４）。
回線制御装置（１）１２０は、指令台（１）１０から送信周波数の変更（ＦＨ１⇒ＦＨ２）指示を受信すると（ステップＳ４１５）、回線制御装置（１）１２０の制御部１２１が回線交換部１２４を制御して、基地局（１）３２に対し、送信データ（ｄ）を送信周波数ＦＨ１からＦＨ２に変更して送信するよう指示する（ステップＳ４１６）。
基地局（１）３２は、回線制御装置（１）１２０から送信周波数の変更指示を受信すると（ステップＳ４１７）、送信データ（ｄ）を送信周波数ＦＨ２に変更して電波送出する（ステップＳ４１８）。
【００４４】
なお、本発明では、消防本部（Ａ）の無線通信システムで送信周波数ＦＨ１を使用して先に送信データを送信しているにも関わらず、消防本部（Ｂ）の無線通信システムから同一の送信周波数で送信データが送信された（割り込まれた）場合に、送信周波数をＦＨ１からＦＨ２に変更して送信するようにしたが、図７の指令台（１）１０と指令台（２）２１０とをネットワーク等の回線を介して互いに接続するようにして、割り込みしてきた他のシステムに対し、警告を出すか、または、異なる周波数に変更するよう指示するようにしてもよい。
また、本発明の実施形態４は、指令台（１）１０を操作するオペレータが基地局モニタ（１）６０の表示内容を確認後に送信周波数変更指示をする場合について説明したが、オペレータの指示ではなく指令台（１）１０から自動で指示するようにしてもよい。
【００４５】
以上説明したように、本発明の実施形態４に係る無線通信システムによれば、異なる無線通信システムが隣接して配置され、互いの基地局の通信エリアに重複する箇所が存在する場合に、それぞれの基地局から通信エリアの重複箇所にいる移動局に対して同時期に同一送信周波数で電波が送信されても、先に一方の基地局が同一送信周波数を送出しているにも関わらず、他方の基地局が同一送信周波数を送出してきた場合には、一方の基地局から移動局に対しては異なる送信周波数に変更して送出することにより、電波が干渉することなく明瞭に音声を通知することができる。
【００４６】
なお、上記した実施形態１から４の構成及び動作は例であって、本発明の趣旨を逸脱しない範囲で適宜変更して実行できることは言うまでもない。
【符号の説明】
【００４７】
１：通信エリア、２：通信エリア、４：伝送路、５：伝送路、６：伝送路、７：伝送路、１０：指令台（１）、２０：回線制御装置（１）、３０：基地局（１）、３２：基地局（１）、４０，４０−１，４０−２：移動局（１）、５０：基地局受信装置（１）、６０：基地局モニタ（１）、７０，７０−１，７０−２：移動局（１）、１２０：回線制御装置（１）、１２１：制御部、１２２：識別子判定部、１２３：識別子メモリテーブル、１２４：回線交換部、１３０：回線制御装置（１）、１３１：制御部、１３２：識別子判定部、１３３：識別子メモリテーブル、１３４：記録・再生部、１３５：回線交換部、１４０：回線制御装置（１）、１４１：制御部、１４２：識別子判定部、１４３：識別子メモリテーブル、１４４：回線交換部、２１０：指令台（２）、２２０：回線制御装置（２）、２３０：基地局（２）、２４０，２４０−１，２４０−２：移動局（２）。
【図１】
2015192170.tif 000003
【図２】
2015192170.tif 000004
【図３】
2015192170.tif 000005
【図４】
2015192170.tif 000006
【図５】
2015192170.tif 000007
【図６】
2015192170.tif 000008
【図７】
2015192170.tif 000009
【図８】
2015192170.tif 000010
【図９】
2015192170.tif 000011